(57)【要約】      （修正有）【課題】除菌液の液漏れを防止し常時清潔な状態で洋式トイレの便座を除菌クリーニングするための除菌液を吐出することができる新規、斬新な便座除菌クリーニングディスペンサーを提供する。【解決手段】収納容器内に着脱可能に配置したスプレー装置２１を有し除菌液を収納する薬液容器２０と、を有し、スプレー装置の吐出口から除菌液を容器本体の下方又は容器本体のいずれかの方向に吐出するようにした便座除菌クリーニングディスペンサーであって、前記薬液容器の両側面に設けた１個又は２以上複数個の係合凹部３２，３３と、前記容器本体の両側辺部に係合凹部３２，３３に対応する配置で設けた１個又は２以上複数個の係合凸部３５，３６と、を具備し、前記係合凹部と係合凸部との係合及び係合解除により、前記薬液容器を前記容器本体に対して嵌め込み固定としつつ離脱可能として容器本体における前記薬液容器の揺れ防止機構３１を設けたものである。【選択図】図４
0003149115.tif 000002
【実用新案登録請求の範囲】
【請求項１】
容器本体とこの容器本体に開閉自在又は着脱自在に構成された蓋体とからなる収納容器と、この収納容器内に着脱可能に配置したスプレー装置を有し除菌液を収納する薬液容器と、を有し、前記スプレー装置を収納容器の外部より操作し、スプレー装置の吐出口から除菌液を容器本体の下方又は容器本体のいずれかの方向に吐出するようにした便座除菌クリーニングディスペンサーであって、
前記薬液容器の両側面に設けた１個又は２以上複数個の係合凹部と、前記容器本体の両側辺部に前記係合凹部に対応する配置で設けた１個又は２以上複数個の係合凸部と、を具備し、
前記係合凹部と係合凸部との係合及び係合解除により、前記薬液容器を前記容器本体に対して嵌め込み固定としつつ離脱可能として容器本体における前記薬液容器の揺れ防止機構を設けたことを特徴とする便座除菌クリーニングディスペンサー。
【請求項２】
容器本体とこの容器本体に開閉自在又は着脱自在に構成された蓋体とからなる収納容器と、この収納容器内に着脱可能に配置したスプレー装置を有し除菌液を収納する薬液容器と、を有し、前記スプレー装置を収納容器の外部より操作し、スプレー装置の吐出口から除菌液を容器本体の下方又は容器本体のいずれかの方向に吐出するようにした便座除菌クリーニングディスペンサーであって、
前記薬液容器の両側面に各々間隔を隔てて設けた曲り係合凹部、直線状係合凹部からなる係合凹部と、前記容器本体の両側辺部に各々前記曲り係合凹部、直線状係合凹部に対応する配置で設けた係合凸部と、を具備し、
前記容器本体の両側における前記曲り係合凹部と前記一方の係合凸部との係合及び係合解除、前記容器本体の両側における前記直線状係合凹部と前記他方の係合凸部との係合及び係合解除により、前記薬液容器を前記容器本体に対して嵌め込み・スライド固定としつつ離脱可能として容器本体における前記薬液容器の揺れ防止機構を設けたことを特徴とする便座除菌クリーニングディスペンサー。
【請求項３】
容器本体とこの容器本体に開閉自在又は着脱自在に構成された蓋体とからなる収納容器と、この収納容器内に着脱可能に配置したスプレー装置を有し除菌液を収納する薬液容器と、を有し、前記スプレー装置を収納容器の外部より操作し、スプレー装置の吐出口から除菌液を容器本体の下方又は容器本体のいずれかの方向に吐出するようにした便座除菌クリーニングディスペンサーであって、
前記スプレー装置は、前記吐出口からの除菌液吐出の際に漏れた除菌液を吸水しつつ吐出口から流し出すことができる吸水部材を内蔵した吐出筒部を有し、蓋体の操作片によるスプレー装置に対する操作に連動して、前記吸水部材により、漏れた除菌液を吸水しつつ絞り出す状態で吐出口から吐出するようにしたことを特徴とする便座除菌クリーニングディスペンサー。
【請求項４】
容器本体とこの容器本体に開閉自在又は着脱自在に構成された蓋体とからなる収納容器と、この収納容器内に着脱可能に配置したスプレー装置を有し除菌液を収納する薬液容器と、を有し、前記スプレー装置を収納容器の外部より操作し、スプレー装置の吐出口から除菌液を容器本体の下方又は容器本体のいずれかの方向に吐出するようにした便座除菌クリーニングディスペンサーであって、
前記蓋体の吐出口下方に配置されて、前記蓋体と一体的又は着脱可能に構成した受皿部を有する受液板を具備し、前記吐出口から漏れた除菌液を受液するように構成したことを特徴とする便座除菌クリーニングディスペンサー。
【請求項５】
容器本体とこの容器本体に開閉自在又は着脱自在に構成された蓋体とからなる収納容器と、この収納容器内に着脱可能に配置したスプレー装置を有し除菌液を収納する薬液容器と、を有し、前記スプレー装置を収納容器の外部より操作し、スプレー装置の吐出口から除菌液を容器本体の下方又は容器本体のいずれかの方向に吐出するようにした便座除菌クリーニングディスペンサーであって、
前記蓋体の吐出口下方に配置されて、前記蓋体と一体的又は着脱可能に構成されて受液凹部を形成した受皿部を有する受液板を具備し、前記吐出口から漏れた除菌液を受液するように構成したことを特徴とする便座除菌クリーニングディスペンサー。
【請求項６】
容器本体とこの容器本体に開閉自在又は着脱自在に構成された蓋体とからなる収納容器と、この収納容器内に着脱可能に配置したスプレー装置を有し除菌液を収納する薬液容器と、を有し、前記スプレー装置を収納容器の外部より操作し、スプレー装置の吐出口から除菌液を容器本体の下方又は容器本体のいずれかの方向に吐出するようにした便座除菌クリーニングディスペンサーであって、
前記薬液容器の両側面に設けた１個又は２以上複数個の係合凹部と、前記容器本体の両側辺部に前記係合凹部に対応する配置で設けた１個又は２以上複数個の係合凸部と、を具備し、
前記係合凹部と係合凸部との係合及び係合解除により、前記薬液容器を前記容器本体に対して嵌め込み固定としつつ離脱可能として容器本体における前記薬液容器の揺れ防止機構を設けたとともに、
前記スプレー装置は、前記吐出口からの除菌液吐出の際に漏れた除菌液を吸水しつつ吐出口から流し出すことができる吸水部材を内蔵した吐出筒部を有し、蓋体の操作片によるスプレー装置に対する操作に連動して、前記吸水部材により、漏れた除菌液を吸水しつつ絞り出す状態で吐出口から吐出するようにしたことを特徴とする便座除菌クリーニングディスペンサー。
【請求項７】
容器本体とこの容器本体に開閉自在又は着脱自在に構成された蓋体とからなる収納容器と、この収納容器内に着脱可能に配置したスプレー装置を有し除菌液を収納する薬液容器と、を有し、前記スプレー装置を収納容器の外部より操作し、スプレー装置の吐出口から除菌液を容器本体の下方又は容器本体のいずれかの方向に吐出するようにした便座除菌クリーニングディスペンサーであって、
前記薬液容器の両側面に設けた１個又は２以上複数個の係合凹部と、前記容器本体の両側辺部に前記係合凹部に対応する配置で設けた１個又は２以上複数個の係合凸部と、を具備し、
前記係合凹部と係合凸部との係合及び係合解除により、前記薬液容器を前記容器本体に対して嵌め込み固定としつつ離脱可能として容器本体における前記薬液容器の揺れ防止機構を設けたとともに、
前記スプレー装置は、前記吐出口からの除菌液吐出の際に漏れた除菌液を吸水しつつ吐出口から流し出すことができる吸水部材を内蔵した吐出筒部を有し、蓋体の操作片によるスプレー装置に対する操作に連動して、前記吸水部材により、漏れた除菌液を吸水しつつ絞り出す状態で吐出口から吐出するように構成し、
前記蓋体の吐出口下方に配置されて、前記蓋体と一体的又は着脱可能に構成した受皿部を有する受液板を具備し、前記吐出口から漏れた除菌液を受液するように構成したことを特徴とする便座除菌クリーニングディスペンサー。
【考案の詳細な説明】
【技術分野】
【０００１】
本考案は、便座除菌クリーニングディスペンサーに関し、詳しくは、洋式トイレの便座を除菌クリーニングするための除菌液を吐出する新規、斬新な便座除菌クリーニングディスペンサーに関するものである。
【背景技術】
【０００２】
最近、洋式トイレの普及は目覚ましいものがある。ところが、この洋式トイレは、便座に腰掛けて使用するものであるため、多くの者がその使用時には相当の不快感を抱くものである。特に、不特定多数の人が使用するトイレの場合には、一層顕著である。
【０００３】
近年では、便座の除菌クリーニングに供することができる便座除菌クリーニングディスペンサーが提案されている。
【０００４】
この従来の便座除菌クリーニングディスペンサーは、壁面に取り付ける容器本体内に除菌液を収納するタンクを配置し、タンクの下部に吐出口を有するスプレー機構部を水平配置に設け、スプレー機構部を容器本体の外部から押圧操作して吐出口から下方に向けて除菌液を吐出し、トイレ用ペーパーに除菌液を染み込ませ、その除菌液が染み込んだペーパーにより便座の除菌クリーニングを行うものである。
【０００５】
このような便座除菌クリーニングディスペンサーの場合、スプレー機構部を水平配置とし吐出口を下向きとしているので、振動等により吐出口から液漏れが生じて床面等を汚してしまうという問題があった。
【０００６】
特に、従来の便座除菌クリーニングディスペンサーを鉄道車両のトイレ室等に設置したような場合、使用者の悪戯等によって吐出口から液漏れが生じ、使用中や使用後に除菌液が漏れ出て、床面やじゅうたん等を除菌液で汚してしまうという不都合な事態が生じていた。
【０００７】
特許文献１には、除菌液を収納する液溜部と、この液溜部の下部に設けた液排出機構を有する排液部とを有し、トイレ内の壁面に取り付けるように構成し、前記排液部からその下方のトイレ用ペーパーに除菌液を排出して染み込ませ、当該トイレ用ペーパーを便座の除菌に供するようにした便座除菌液供給器が提案されている。
【０００８】
この特許文献１の便座除菌液供給器の場合、排液部がスプレー式で露出した構造であるため、やはり使用中や使用後に除菌液が漏れ出て、床面やじゅうたん等を除菌液で汚してしまうという問題を包含していた。
【特許文献１】登録実用新案第３０５１８６９号公報
【考案の開示】
【考案が解決しようとする課題】
【０００９】
本考案は上記従来の実情に鑑み、この種の製品のパイオニアである本件考案者によって改良を加えて案出されたものであり、除菌液の液漏れを防止し常時清潔な状態で洋式トイレの便座を除菌クリーニングするための除菌液を吐出することができる新規、斬新な便座除菌クリーニングディスペンサーを提供するという目的を有するものである。
【課題を解決するための手段】
【００１０】
本考案は、容器本体と、この容器本体に開閉自在又は着脱自在に構成された蓋体とからなる収納容器と、この収納容器内に着脱可能に配置したスプレー装置を有し除菌液を収納する薬液容器と、を有し、前記スプレー装置を収納容器の外部より操作し、スプレー装置の吐出口から除菌液を容器本体の下方又は容器本体のいずれかの方向に吐出するようにした便座除菌クリーニングディスペンサーであって、前記薬液容器の両側面に設けた１個又は２以上複数個の係合凹部と、前記容器本体の両側辺部に前記係合凹部に対応する配置で設けた１個又は２以上複数個の係合凸部と、を具備し、前記係合凹部と係合凸部との係合及び係合解除により、前記薬液容器を前記容器本体に対して嵌め込み固定としつつ離脱可能として容器本体における前記薬液容器の揺れ防止機構を設けたことを最も主要な特徴とする。
【考案の効果】
【００１１】
請求項１記載の考案によれば、前記薬液容器と、容器本体とにわたって揺れ防止機構を設け、薬液容器を収納容器内の容器本体に強固に装着するようにしているので、薬液容器に取り付けたスプレー装置の外部からの振動等による揺れを無くすことができ、吐出口からの除菌液の液漏れを防止し、常時清潔な状態で便座を除菌クリーニングするための除菌液を吐出することができる新規、斬新な便座除菌クリーニングディスペンサーを提供することができる。
【００１２】
請求項２記載の考案によれば、揺れ防止機構において、容器本体の両側における曲り係合凹部と一方の係合凸部との嵌め込み・スライドによる係合、容器本体の両側における直線状係合凹部と他方の係合凸部との直線的な係合及び係合解除により、薬液容器を容器本体に対して嵌め込み・スライド固定して、薬液容器を強固に容器本体に装着する構成の基に、請求項１記載の考案と同様な効果を奏する新規、斬新な便座除菌クリーニングディスペンサーを提供することができる。
【００１３】
請求項３記載の考案によれば、薬液容器と一体的なスプレー装置における吐出筒部内の流路にフェルト材等からなる吸水部材を内蔵し、操作片によるスプレー装置に対する操作に連動して、漏れた除菌液を吸水部材により吸水しつつ絞り出す状態で吐出口から吐出するように構成しているので、この点からも吐出口からの除菌液の液漏れを防止できる新規、斬新な便座除菌クリーニングディスペンサーを提供することができる。
【００１４】
請求項４記載の考案によれば、請求項１記載の考案の効果に加え、受液板を付加した構成としているので、仮に、除菌液が漏れ落ちた場合に受皿部により除菌液を貯留することができ、一層確実に床面やじゅうたん等の汚れを未然に防ぐことが可能で新規、斬新な便座除菌クリーニングディスペンサーを提供することができる。
【００１５】
請求項５記載の考案によれば、請求項１記載の考案の効果に加え、受液板を付加した構成としているので、仮に、除菌液が漏れ落ちた場合に受皿部の受液凹部に除菌液を貯留することができ、一層確実に床面やじゅうたん等の汚れを未然に防ぐことが可能で新規、斬新な便座除菌クリーニングディスペンサーを提供することができる。
【００１６】
請求項６記載の考案によれば、請求項１記載の考案の効果を奏することに加え、吸水部材を内蔵した構成の基に、一層確実に床面やじゅうたん等の汚れを未然に防ぐことが可能で新規、斬新な便座除菌クリーニングディスペンサーを提供することができる。
【００１７】
請求項７記載の考案によれば、請求項１記載の考案の効果を奏することに加え、受液板を付加し、かつ、吸水部材を内蔵した構成の基に、更に一層確実に床面やじゅうたん等の汚れを未然に防ぐことが可能で新規、斬新な便座除菌クリーニングディスペンサーを提供することができる。
【考案を実施するための最良の形態】
【００１８】
本考案は、容器本体と、この容器本体に開閉自在又は着脱自在に構成された蓋体とからなる収納容器と、この収納容器内に着脱可能に配置したスプレー装置を有し除菌液を収納する薬液容器と、を有し、前記スプレー装置を収納容器の外部より操作し、スプレー装置の吐出口から除菌液を容器本体の下方又は容器本体のいずれかの方向に吐出するようにした便座除菌クリーニングディスペンサーであって、前記薬液容器の両側面に設けた１個又は２以上複数個の係合凹部と、前記容器本体の両側辺部に前記係合凹部に対応する配置で設けた１個又は２以上複数個の係合凸部と、を具備し、前記係合凹部と係合凸部との係合及び係合解除により、前記薬液容器を前記容器本体に対して嵌め込み固定としつつ離脱可能として容器本体における前記薬液容器のを設けた構成により上記目的を実現した。
【実施例】
【００１９】
以下に、本考案の実施例に係る便座除菌クリーニングディスペンサーについて図１乃至図６を参照して詳細に説明する。
【００２０】
本考案の実施例に係る便座除菌クリーニングディスペンサー１は、図１乃至図３及び図４に示すように、金属材又は合成樹脂材により略直方体箱型状で裏面側が開口する形状に形成した蓋体３と、該蓋体３の裏面側下端部に下端部が例えばピン結合構造で回動可能に枢着され、蓋体３の開口部分を閉塞し又は解放可能な容器本体４とで構成された収納容器２を有している。
本考案において、前記容器本体４と蓋体３とは、図示する実施例の他、容器本体４に蓋体３が開閉自在又は着脱自在に構成されたものであれば良い。
【００２１】
前記蓋体３の正面側の下部中央には、図１、図２に示すように、後述する除菌液Ｌの吐出操作を行うための操作片５を例えば「ＰＵＳＨ」のような文字を付した態様で設けている。
【００２２】
前記操作片５は、図１、図２、図３、図４に示すように、蓋体３の正面側の下部中央に設けた略台形状の取り付け穴部６に操作板８を嵌め込み、指操作によりこの操作板８を押し込むことで後述するスプレー装置２１の押圧操作を行うように構成している。
【００２３】
すなわち、前記操作片５は、前記操作板８と、操作板８と一体成形され前記蓋体３の底板部３ａに設けた吐出用開口７に沿うように臨ませた一対のガイド片９と、操作板８の両側辺から蓋体３の上端側に向けて延在した一対の回動片１０と、操作板８の裏面に立設した平行配置の一対のスプレーヘッドガイド片１１とを一体成形により形成している。
【００２４】
そして、前記蓋体３の裏面に立設した一対の軸支片１２により前記一対の回動片１０を例えばピン結合構造で図４に示す矢印ａ、ｂ方向に回動可能に支持している。
【００２５】
また、前記蓋体３の上部側の頂板部３ｂには、例えば四角形状の一対の係止受穴３ｃを設けている。
【００２６】
なお、図３中、符号１３は、容器本体４に貼り付けた壁面取り付け用の両面テープである。
【００２７】
前記容器本体４における蓋体３の開口側に臨む面側には、図４、図５に示すように、スプレー装置２１を有し、除菌液Ｌを内部に収納する薬液容器（薬液タンク）２０を着脱可能に配置している。
【００２８】
前記薬液容器２０は、図４、図５に示すように、収納容器２の下部側に配置されると直方体状の小容器部２０ａと、この小容器部２０ａより大寸法の直方体状の大容器部２０ｂとを例えば樹脂材を用いて一体成形することにより形成され、小容器部２０ａにスプレー装置２１を図４において垂直上方に突出する状態で配置している。
【００２９】
前記スプレー装置２１は、公知のスプレー機構により構成されている。すなわち、前記スプレー装置２１は、小容器部２０ａに固定した基筒２２と、基筒２２に対して出没可能に配置した吐出口２４を有し除菌液Ｌを流す（流過させる）ための吐出筒部２３と、この吐出筒部２３の上端に配置した四角形状の操作受板２５と、を有している。前記操作受板２５の上面には、略半球状の膨出部２５ａを突設している。
本考案において、前記除菌液は、図示する実施例の他、容器本体の下方又は容器本体のいずれかの方向に吐出するように構成されたものであれば良い。
【００３０】
そして、前記容器本体４を蓋体３側に閉じたときには、前記操作受板２５の両側辺が一対のスプレーヘッドガイド片１１により挟まれる状態となり、かつ、前記操作受板２５の膨出部２５ａが前記操作板８の裏面に近接する状態になるように構成している。
【００３１】
また、前記吐出口２４が前記底板部３ａに設けた吐出用開口７に臨むように構成している。
【００３２】
更に、前記スプレー装置２１における吐出筒部２３内の流路には、図３に点線で示すように、例えばフェルト材等からなる吸水部材２６が内蔵され、前記操作片５によるスプレー装置２１に対する操作に連動して吸水部材２６により除菌液Ｌを絞り出す状態、すなわち、蓋体の操作片によるスプレー装置に対する操作に連動して、前記吸水部材により、漏れた除菌液を吸水しつつ絞り出す状態で吐出口２４から吐出するように構成している。
【００３３】
前記大容器部２０ｂの上部側にはねじ込み蓋２０ｃにより開閉される除菌液Ｌの補充口を設けている。
【００３４】
次に、前記薬液容器２０を構成する大容器部２０ｂと、前記容器本体４とにわたって設けた揺れ防止機構３１について、図４、図５及び図６を参照して説明する。
【００３５】
前記大容器部２０ｂにおける容器本体４の裏面に近い両側面には、各々間隔を隔てて曲り係合凹部３２、直線状係合凹部３３からなる２個ずつ（合計４個構成）の係合凹部３４を形成している。
本考案において、前記係合凹部は、図示する実施例の他、１個又は２以上複数個に構成されたものであれば良い。
【００３６】
なお、本実施例においては、前記大容器部２０ｂの一方の側面側の係合凹部３４のみを示している。
【００３７】
前記係合凹部３４を構成する曲り係合凹部３２は、容器本体４の上部側に近い位置に設けられ、図５に示すように、大容器部２０ｂの側面において底面位置から側面後方に向かう方向に曲折したＬ状に形成している。
【００３８】
また、前記直線状係合凹部３３は、図５において、大容器部２０ｂの手前側角部から側面後方に向かう方向に一直線状に形成している。前記大容器部２０ｂの他方の側面側の係合凹部についても同様である。
【００３９】
一方、前記容器本体４の両側辺部には、図６に示すように、各々前記曲り係合凹部３２、直線状係合凹部３３に対応する配置で２個ずつ（合計４個構成）の四角形状を呈する係合凸部３５、３６を前記大容器部２０ｂ側に突出する状態で設けている。
本考案において、前記係合凸部は、図示する実施例の他、１個又は２以上複数個に構成されたものであれば良い。
【００４０】
更に、前記容器本体４の両側辺部における前記係合凸部３５、３６の間には、各々前記大容器部２０ｂの両側面に当接又は近接する一対の長方形状を呈するガイド用突片３７を突設している。
【００４１】
そして、前記容器本体４の両側における前記曲り係合凹部３２と一方の係合凸部３５との嵌め込み・スライドによる係合及び係合解除、前記容器本体４の両側における前記直線状係合凹部３３と他方の係合凸部３６との直線的な係合及び係合解除により、前記薬液容器２０を前記容器本体４に対して嵌め込み・スライド固定して、前記薬液容器２０を強固に容器本体４に装着し、振動等に対する薬液容器２０の横揺れ等の防止、従って除菌液Ｌの吐出口２４からの液漏れによる床面やじゅうたん等の汚れ防止を実現するとともに、除菌液Ｌを補充する際等における前記薬液容器２０の容器本体４からの離脱を簡略容易に実現するように構成している。
【００４２】
前記容器本体４の上辺部４ａには、図６に示すように、前記蓋体３に設けた一対の係止受穴３ｃに対応する配置で、かつ、対応する寸法の一対の係止突起４ｂが突設され、前記容器本体４を前記蓋体３の開口側に嵌めたとき、前記係止突起４ｂが係止受穴３ｃに没入するように構成され、これにより、蓋体３と容器本体４を係止状態とするように構成している。
【００４３】
図７は、前記収納容器２と着脱可能に（又は一体的に）構成される受液板４１を示すものである。
【００４４】
前記受液板４１は、前記収納容器２の下方に配置するための受液凹部４２ａを具備する受皿部４２と、この受皿部４２と一体の取付板部４３とを側面Ｌ状を呈するように形成したものであり、前記取付板部４３を例えば両面テープ４５を用いて（ネジ止めでもよい）前記容器本体４に着脱可能に貼り付け、前記受皿部４２を前記収納容器２の下方に配置するように構成している。
本考案において、前記容器本体４と受皿部４２とは、図示する実施例の他、容器本体と受皿部とが一体的又は着脱可能に構成されたものであれば良い。
【００４５】
そして、この状態で前記収納容器２、前記受液板４１をトイレ室等の壁面４４に垂直配置に取り付けることで、仮に、除菌液Ｌが漏れ落ちた場合に前記受液凹部４２ａにより除菌液Ｌを貯留することによって、床面やじゅうたん等の汚れを未然に防ぐことが可能となる。
【００４６】
前記受液板４１を、予め前記収納容器２の容器本体４と一体的に形成しておくことも勿論可能であり、この場合も上述した場合同様な作用、効果を発揮させることができる。
【００４７】
前記受液板４１は、本実施例の便座除菌クリーニングディスペンサー１のみならず、既存の便座除菌クリーニングディスペンサーに関しても応用可能であることは言うまでもない。
【００４８】
図８は、本実施例に係る便座除菌クリーニングディスペンサー１の使用状態を示すものであり、使用者が自己の片手の指でトイレ用ペーパーＰを持って前記収納容器２の下方に配置し、もう一方の手の指で前記操作板８を押し込むことで、スプレー装置２１の吐出口２４から除菌液Ｌをトイレ用ペーパーＰに吐出し、染み込ませることができる。
【００４９】
図９は、本実施例に係る便座除菌クリーニングディスペンサー１により除菌液Ｌを染み込ませたトイレ用ペーパーＰによる便座５０のクリーニング状態を示すものである。
【００５０】
以上説明した本実施例の便座除菌クリーニングディスペンサー１によれば、以下の効果を奏する。
【００５１】
本実施例に係る便座除菌クリーニングディスペンサー１によれば、前記薬液容器２０の大容器部２０ｂと、容器本体４とにわたって揺れ防止機構３１を設け、薬液容器２０を収納容器２内の容器本体４に強固に装着するようにしているので、薬液容器２０に取り付けたスプレー装置２１も外部からの振動等で揺れることがなくなり、これにより吐出口２４からの除菌液Ｌの液漏れを防止し、常時清潔な状態で洋式トイレの便座５０を除菌クリーニングするための除菌液Ｌを吐出することができる。
【００５２】
従って、便座除菌クリーニングディスペンサー１の下方に存在する床面やじゅうたん等の液漏れによる汚れ防止を確実に実現することができる。
【００５３】
更に詳述すると、前記揺れ防止機構３１において、前記容器本体４の両側における前記曲り係合凹部３２と一方の係合凸部３５との嵌め込み・スライドによる係合及び係合解除、前記容器本体４の両側における前記直線状係合凹部３３と他方の係合凸部３６との直線的な係合及び係合解除により、前記薬液容器２０を前記容器本体４に対して嵌め込み・スライド固定して、前記薬液容器２０を強固に容器本体４に装着することができ、薬液容器２０に取り付けたスプレー装置２１も外部からの振動等で揺れることがなくなり、これにより、前記吐出口２４からの除菌液Ｌの液漏れを防止できる。
【００５４】
また、本実施例に係る便座除菌クリーニングディスペンサー１によれば、前記薬液容器２０と一体的なスプレー装置２１における吐出筒部２３内の流路にフェルト材等からなる吸水部材２６を内蔵し、前記操作片５によるスプレー装置２１に対する操作に連動して吸水部材２６により除菌液Ｌを絞り出す状態で吐出口２４から吐出するように構成しているので、当該吸水部材２６が恰も雑巾を絞るような状態で除菌液Ｌを吸水し、絞るような状態に作用し、この動作を繰り返すことから、前記吐出口２４からの除菌液Ｌの液漏れを防止できる。
【００５５】
更に、便座除菌クリーニングディスペンサー１に図７に示す受液板４１を付加した構成とすれば、仮に除菌液Ｌが漏れ落ちた場合に前記受皿部４２の受液凹部４２ａにより除菌液Ｌを貯留することができ、床面やじゅうたん等の汚れを未然に防ぐことが可能となる。
【産業上の利用可能性】
【００５６】
本考案は、上述した場合のみならず、洗面所等における手洗い用洗浄液や、医療機関等における手洗い用洗浄液等に使用されるクリーニングディスペンサーとして広範に応用可能である。
【図面の簡単な説明】
【００５７】
【図１】本考案の実施例に係る便座除菌クリーニングディスペンサーの外観を示す斜視図である。
【図２】本実施例に係る便座除菌クリーニングディスペンサーの正面図ある。
【図３】本実施例に係る便座除菌クリーニングディスペンサーの底面図ある。
【図４】本実施例に係る便座除菌クリーニングディスペンサーの蓋体と容器本体とを展開状態とし裏面側から見た状態の斜視図である。
【図５】本実施例に係る便座除菌クリーニングディスペンサーにおける薬液容器の拡大斜視図である。
【図６】本実施例に係る便座除菌クリーニングディスペンサーの蓋体と容器本体とを展開状態とし、薬液容器を除去した状態の平面図である。
【図７】本実施例に係る便座除菌クリーニングディスペンサーに受液板を付加した状態の斜視図である。
【図８】本実施例に係る便座除菌クリーニングディスペンサーの使用状態を示す斜視図である。
【図９】本実施例に係る便座除菌クリーニングディスペンサーにより除菌液Ｌを染み込ませたトイレ用ペーパーによる便座のクリーニング状態を示す斜視図である。
【符号の説明】
【００５８】
１    便座除菌クリーニングディスペンサー
２    収納容器
３    蓋体
３ａ  底板部
３ｂ  頂板部
３ｃ  係止受穴
４    容器本体
４ａ  上辺部
４ｂ  係止突起
５    操作片
６    取り付け穴部
７    吐出用開口
８    操作板
９    ガイド片
１０    回動片
１１    スプレーヘッドガイド片
１２    軸支片
１３    両面テープ
２０    薬液容器
２０ａ  小容器部
２０ｂ  大容器部
２０ｃ  ねじ込み蓋
２１    スプレー装置
２２    基筒
２３    吐出筒部
２４    吐出口
２５    操作受板
２５ａ  膨出部
２６    吸水部材
３１    揺れ防止機構
３２    曲り係合凹部
３３    直線状係合凹部
３４    係合凹部
３５    係合凸部
３６    係合凸部
３７    ガイド用突片
４１    受液板
４２    受皿部
４２ａ  受液凹部
４３    取付板部
４４    壁面
４５    両面テープ
５０    便座
Ｌ    除菌液
Ｐ    トイレ用ペーパー
【図１】
0003149115.tif 000003
【図２】
0003149115.tif 000004
【図３】
0003149115.tif 000005
【図４】
0003149115.tif 000006
【図５】
0003149115.tif 000007
【図６】
0003149115.tif 000008
【図７】
0003149115.tif 000009
【図８】
0003149115.tif 000010
【図９】
0003149115.tif 000011